(57)【要約】【課題】デザインデータを簡易に生成し、対象物に効率良く印刷すると同時に配送先情報の印刷も実施し、更に出荷管理の適正化まで図る。【解決手段】本発明は、ユーザの情報端末と、ＵＶプリンタと通信自在なサーバ装置１であって、ユーザの情報端末及び上記ＵＶプリンタと通信する通信部１２と、ユーザの属性情報を少なくとも記憶する記憶部１３と、操作入力データに基づいてデザインデータを生成するデザインデータ生成部１１ｂと、ユーザの情報端末からの注文に対して注文番号を発行する注文番号発行部１１ｃと、注文番号に基づいて二次元バーコードを生成するバーコード生成部１１ｄと、デザインデータと記憶部１３に記憶されたユーザの属性情報と二次元バーコードとに基づいて印刷データを生成する印刷データ生成部１１ｅとを備える。【選択図】図２
2019021160.tif 000002
【特許請求の範囲】
【請求項１】
ユーザの情報端末と、サーバ装置と、ＵＶプリンタとが通信自在に接続されたデザインデータ生成システムにおいて、
上記ユーザの情報端末は、
上記サーバ装置と通信する第１通信部と、
Ｗｅｂページを閲覧するブラウザ部と、
操作入力を受け付ける操作部と、
所定の表示を行う表示部と、
上記操作部により操作入力された操作入力データを、上記第１通信部を介して上記サーバ装置に送信する主制御部と、
を備え、
上記サーバ装置は、
上記ユーザの情報端末及び上記ＵＶプリンタと通信する第２通信部と、
上記ユーザの属性情報を少なくとも記憶する記憶部と、
上記操作入力データに基づいてデザインデータを生成するデザインデータ生成部と、
上記ユーザの情報端末からの注文に対して注文番号を発行する注文番号発行部と、
上記注文番号に基づいて二次元バーコードを生成するバーコード生成部と、
上記デザインデータと上記記憶部に記憶された上記ユーザの属性情報と上記二次元バーコードとに基づいて印刷データを生成する印刷データ生成部と、
を備え、
上記ＵＶプリンタは、上記印刷データに基づいて、所定のデザインと属性情報に含まれる氏名と配送先情報、及び二次元バーコードを同時に印刷する
デザインデータ生成システム。
【請求項２】
出荷管理者の情報端末を更に備え、
上記サーバ装置は、出荷管理部を更に備え、
上記出荷管理者の情報端末により上記二次元バーコードが撮影されると、撮影画像が解析され、上記サーバ装置にアクセスがなされ、上記サーバ装置では、上記出荷管理部が出荷管理情報を更新し、上記出荷管理者の情報端末に所定のメッセージを送信する
請求項１に記載のデザインデータ生成システム。
【請求項３】
上記デザインデータとは、ＳＶＧ形式のフィギュアのフェイスデータである
請求項１又は請求項２に記載のデザインデータ生成システム。
【請求項４】
ユーザの情報端末と、サーバ装置と、ＵＶプリンタとが通信自在に接続されたデザインデータ生成システムによる方法において、
上記ユーザの情報端末が、
Ｗｅｂページを表示し所定の操作入力を受け付けるステップと、
上記サーバ装置が、
上記操作入力データに基づいてデザインデータを生成するステップと、
上記ユーザの情報端末からの注文に対して注文番号を発行するステップと、
上記注文番号に基づいて二次元バーコードを生成するステップと、
上記デザインデータと上記記憶部に記憶された上記ユーザの属性情報と上記二次元バーコードとに基づいて印刷データを生成するステップと、
上記ＵＶプリンタが、
上記印刷データに基づいて、所定のデザインと属性情報に含まれる氏名と配送先情報、及び二次元バーコードを同時に印刷するステップと、を有する
デザインデータ生成方法。
【請求項５】
上記デザインデータ生成システムは出荷管理者の情報端末を備え、
上記出荷管理者の情報端末により上記二次元バーコードが撮影されると、撮影画像が解析され、上記サーバ装置にアクセスがなされ、上記サーバ装置では、出荷管理情報を更新し、上記出荷管理者の情報端末に所定のメッセージを送信する
請求項４に記載のデザインデータ生成方法。
【請求項６】
上記デザインデータとは、ＳＶＧ形式のフィギュアのフェイスデータである
請求項５又は請求項６に記載のデザインデータ生成方法。
【請求項７】
ユーザの情報端末と、ＵＶプリンタと通信自在なサーバ装置であって、
上記ユーザの情報端末及び上記ＵＶプリンタと通信する通信部と、
上記ユーザの属性情報を少なくとも記憶する記憶部と、
上記操作入力データに基づいてデザインデータを生成するデザインデータ生成部と、
上記ユーザの情報端末からの注文に対して注文番号を発行する注文番号発行部と、
上記注文番号に基づいて二次元バーコードを生成するバーコード生成部と、
上記デザインデータと記憶部に記憶された上記ユーザの属性情報と上記二次元バーコードとに基づいて印刷データを生成する印刷データ生成部と、を備える
サーバ装置。
【請求項８】
出荷管理者の情報端末とも通信自在であり、
出荷管理部を更に備え、
上記出荷管理者の情報端末により上記二次元バーコードが撮影されると、撮影画像が解析され、上記サーバ装置にアクセスがなされ、上記サーバ装置では、上記出荷管理部が出荷管理情報を更新し、上記出荷管理者の情報端末に所定のメッセージを送信する
請求項７に記載のサーバ装置。
【請求項９】
上記デザインデータとは、ＳＶＧ形式のフィギュアのフェイスデータである
請求項７又は請求項８に記載のサーバ装置。
【請求項１０】
ユーザの情報端末と、ＵＶプリンタと通信自在なサーバ装置により実行されるプログラムであって、
上記サーバ装置が、
上記操作入力データに基づいてデザインデータを生成するデザインデータ生成部と、
上記ユーザの情報端末からの注文に対して注文番号を発行する注文番号発行部と、
上記注文番号に基づいて二次元バーコードを生成するバーコード生成部と、
上記デザインデータと記憶部に記憶された上記ユーザの属性情報と上記二次元バーコードとに基づいて印刷データを生成する印刷データ生成部として機能する
プログラム。
【発明の詳細な説明】
【技術分野】
【０００１】
本発明は、例えばフィギュア等の対象物のフェイスデータ等のデザインデータを自動生成し、当該デザインデータに基づいてフィギュア等の対象物に実際に印刷するときに宛名ラベルへの配送先情報の印刷も同時に行うデザインデータ生成方法、デザインデータ生成システム、サーバ装置、及びプログラムに関する。
【背景技術】
【０００２】
従来、各種デザインデータを対象物に印刷し、出荷まですることが嘱望されている。例えば、フィギュアについては、フェイスの３次元データを簡易に生成して３次元の面フィギュアを製作することが嘱望されており、種々の提案がなされている。
【０００３】
この種の技術として、例えば特許文献１では、正面画像及び一方の側面画像から面フィギュア対象物の長さ、幅、厚さ等の外形を抽出して特定されたデータに基づいて面フィギュアの３次元データを生成した後、該３次元データを所要のオフセット値に基づいて体積化して厚みを付与する３次元面フィギュア製作方法が開示されている。
【先行技術文献】
【特許文献】
【０００４】
【特許文献１】特開２０１２−１７７９５４号公報
【発明の概要】
【発明が解決しようとする課題】
【０００５】
しかしながら、特許文献１に開示されたものは、面フィギュアの３次元データを生成して３次元の面フィギュアを製作するにすぎず、印刷に際して、出荷のための配送先情報の同時印刷や、出荷管理の適正化については何ら開示も示唆もされていなかった。
【０００６】
今日では、単にフェイスデータ等のデザインデータを生成し、対象物に効率よく印刷することに止まらず、顧客の出荷や、出荷管理の適正化までを一連の流れで効率良く行うことが嘱望されているが、そのような技術は存在しない。
【０００７】
本発明は、このような課題に鑑みてなされたものであり、その目的とするところは、デザインデータを簡易に生成可能とし、対象物に効率良く印刷すると同時に配送先情報の印刷も実施し、更に出荷管理の適正化まで図ることにある。
【課題を解決するための手段】
【０００８】
上記課題を解決するため、本発明の一態様に係るデザインデータ生成システムは、ユーザの情報端末と、サーバ装置と、ＵＶプリンタとが通信自在に接続されたデザインデータ生成システムにおいて、上記ユーザの情報端末は、上記サーバ装置と通信する第１通信部と、Ｗｅｂページを閲覧するブラウザ部と、操作入力を受け付ける操作部と、所定の表示を行う表示部と、上記操作部により操作入力された操作入力データを、上記第１通信部を介して上記サーバ装置に送信する主制御部とを備え、上記サーバ装置は、上記ユーザの情報端末及び上記ＵＶプリンタと通信する第２通信部と、上記ユーザの属性情報を少なくとも記憶する記憶部と、上記操作入力データに基づいてデザインデータを生成するデザインデータ生成部と、上記ユーザの情報端末からの注文に対して注文番号を発行する注文番号発行部と、注文番号に基づいて二次元バーコードを生成するバーコード生成部と、上記デザインデータと上記記憶部に記憶された上記ユーザの属性情報と上記二次元バーコードとに基づいて印刷データを生成する印刷データ生成部とを備え、上記ＵＶプリンタは、上記印刷データに基づいて、所定のデザインと属性情報に含まれる氏名と配送先情報、及び二次元バーコードを同時に印刷する。
【０００９】
本発明の第２の態様に係るデザインデータ生成方法は、ユーザの情報端末と、サーバ装置と、ＵＶプリンタとが通信自在に接続されたデザインデータ生成システムによる方法において、上記ユーザの情報端末が、Ｗｅｂページを表示し所定の操作入力を受け付けるステップと、上記サーバ装置が、上記操作入力データに基づいてデザインデータを生成するステップと、上記ユーザの情報端末からの注文に対して注文番号を発行するステップと、上記注文番号に基づいて二次元バーコードを生成するステップと、上記デザインデータと上記記憶部に記憶された上記ユーザの属性情報と上記二次元バーコードとに基づいて印刷データを生成するステップと、上記ＵＶプリンタが、上記印刷データに基づいて、所定のデザインと属性情報に含まれる氏名と配送先情報、及び二次元バーコードを同時に印刷するステップと、を有する。
【００１０】
本発明の第３の態様に係るサーバ装置は、ユーザの情報端末と、ＵＶプリンタと通信自在なサーバ装置であって、上記ユーザの情報端末及び上記ＵＶプリンタと通信する通信部と、上記ユーザの属性情報を少なくとも記憶する記憶部と、上記操作入力データに基づいてデザインデータを生成するデザインデータ生成部と、上記ユーザの情報端末からの注文に対して注文番号を発行する注文番号発行部と、上記注文番号に基づいて二次元バーコードを生成するバーコード生成部と、上記デザインデータと記憶部に記憶された上記ユーザの属性情報と上記二次元バーコードとに基づいて印刷データを生成する印刷データ生成部と、を備えている。
【００１１】
本発明の第４の態様に係るプログラムは、ユーザの情報端末と、ＵＶプリンタと通信自在なサーバ装置により実行されるプログラムであって、上記サーバ装置が、上記操作入力データに基づいてデザインデータを生成するデザインデータ生成部と、上記ユーザの情報端末からの注文に対して注文番号を発行する注文番号発行部と、上記注文番号に基づいて二次元バーコードを生成するバーコード生成部と、上記デザインデータと記憶部に記憶された上記ユーザの属性情報と上記二次元バーコードとに基づいて印刷データを生成する印刷データ生成部として機能する。
【発明の効果】
【００１２】
本発明によれば、デザインデータを簡易に生成可能とし、対象物に効率良く印刷すると同時に配送先情報の印刷も実施し、更に出荷管理の適正化まで図るデザインデータ生成方法、デザインデータ生成システム、サーバ装置、及びプログラムを提供できる。
【図面の簡単な説明】
【００１３】
【図１】本発明の一実施形態に係るデザインデータ生成システムの構成図である。
【図２】同システムのサーバ装置の構成図である。
【図３】同システムの情報端末の構成図である。
【図４】同システムによるデザインデータ生成から出荷までの一連の処理の流れを示すフローチャートである。
【図５】印刷データ自動生成処理の詳細な処理手順を示すフローチャートである。
【図６】Ｗｅｂサイトのトップページの一例を示す図である。
【図７】フェイスデータ作成画面の一例を示す図である。
【図８】フェイスデータ作成画面の一例を示す図である。
【図９】フェイスデータの作成過程を説明する概念図である。
【図１０】生成された印刷データの一例を示す図である。
【図１１】梱包及び出荷管理の様子を示す図である。
【発明を実施するための形態】
【００１４】
以下、図面を参照しつつ本発明の一実施形態について説明する。
【００１５】
図１には本発明の一実施形態に係るデザインデータ生成システムの構成を示し説明する。
【００１６】
同図に示されるように、デザインデータ生成システムは、サービス提供者のサーバ装置１を備えており、サーバ装置１は、ユーザの情報端末２、印刷業者の情報端末３、出荷管理者の情報端末５と通信自在に接続されている。印刷業者の情報端末３は、ＵＶ（Ultra Violet；紫外線）プリンタ４に接続されている。
【００１７】
ＵＶプリンタ４とは、ＵＶ光源にＬＥＤ（Light Emitted Diode）方式を採用したものである。透明素材、有色素材にも効率よくカラーのＬＥＤ−ＵＶ硬化印刷を実施でき、例えば、フィギュアのフェイス（顔）に所定の印刷を実施できるものである。但し、これに限定されないことは勿論である。
【００１８】
このような構成において、サーバ装置１は、注文、デザインデータ生成、印刷、出荷までの一連のサービスを提供するＷｅｂサイトを開設している。ユーザの情報端末２よりＷｅｂサイトにアクセスがなされると、例えば、フィギュアのフェイスデータの作成をＷｅｂ上で実施することができ、フェイスデータ等のデザインデータが確定すると、当該デザインデータとユーザの氏名や配送先情報などの属性情報とに基づいて印刷データを自動生成し、印刷業者の情報端末３に送られる。
【００１９】
印刷業者の情報端末３では、印刷データに基づいてＵＶプリンタ４により例えばフィギュアのフェイス等のデザインを対象物に印刷する。対象物がフィギュアであれば、当該フィギュアにフェイスデータに基づく印刷を実施すると共に配送先等の宛名ラベルも同時に印刷する。この印刷時には、注文番号に基づいてＱＲコード（登録商標）等の２次元バーコードを生成し、宛名ラベルに同時に印刷することになる。
【００２０】
印刷された商品が梱包されると、出荷管理者の情報端末５により宛名ラベルに印刷されたＱＲコード（登録商標）等の二次元バーコードを撮影する。すると、サーバ装置１にアクセスがなされ、二次元バーコードに情報として含まれている注文番号に基づいて対応する管理データを読み出し、情報端末５側に送信する。
【００２１】
出荷管理者の情報端末５では、この管理データを参照することで、出荷対象物が正しい配送先に配送される状況になるかなど、確認することが可能となる。このとき、サーバ装置１側では、注文番号に対応する出荷管理情報のステータスを最新のものに更新する。こうして、確認完了すると、商品は出荷され、ユーザの情報端末２に発送完了通知を電子メールで送信し、一連の処理を終了する。
【００２２】
なお、ユーザの情報端末２としては、スマートフォンやタブレット端末、ノート型パーソナルコンピュータ等、各種のものを採用することができる。印刷業者の情報端末３としては、ノート型ＰＣやデスクトップ型ＰＣ等、各種のものを採用することができる。そして、出荷管理者の情報端末５としては、スマートフォンやタブレット端末等、各種のものを採用することができる。
【００２３】
図２にはデザインデータ生成システムのサーバ装置の構成を示し説明する。
【００２４】
同図に示されるように、サーバ装置１は、全体の制御を司るＣＰＵ（Central Processing Unit）等の制御部１１を備えており、制御部１１は通信部１２、記憶部１３と接続されている。通信部１２は、ネットワーク６を介して、ユーザの情報端末２や印刷業者の情報端末３、出荷管理者の情報端末５等と通信するための通信インタフェースである。記憶部１３は、ＲＡＭやＲＯＭ等のメモリやハードディスクドライブ等で構成されており、制御部１１で実行されるプログラム１８を記憶している。また、記憶部１３は、論理的には、顧客データベース（以下、ＤＢ）１４、デザインデータＤＢ１５、印刷データＤＢ１６、及び出荷管理ＤＢ１７を記憶している。
【００２５】
より詳細には、顧客ＤＢ１４は、ユーザの氏名、配送先情報、電子メールアドレス等の属性情報と注文番号等をユーザＩＤと対応付けて記憶している。デザインデータＤＢ１５は、生成されたデザインデータをユーザＩＤ又は注文番号と対応付けて記憶している。印刷データＤＢ１６は、生成された印刷データを、ユーザＩＤ又は注文番号と対応付けて記憶している。そして、出荷管理ＤＢ１７は、注文番号と対応付けて、その出荷の状況などのステータス情報を記憶している。
【００２６】
このような構成において、制御部１１は、記憶部１３のプログラム１８を読み出し実行することで、主制御部１１ａ、デザインデータ生成部１１ｂ、注文番号発行部１１ｃ、バーコード生成部１１ｄ、印刷データ生成部１１ｅ、出荷管理部１１ｆ、画面データ生成部１１ｇ、及び電子メール制御部１１ｈ等として機能することになる。
【００２７】
主制御部１１ａは、ユーザの情報端末２に対するアクセス時の所定の認証など、統括的な制御を司る。デザインデータ生成部１１ｂは、ユーザの情報端末２の所定画面における操作入力に基づいて、デザインデータを生成する。ここでは、フィギュアのフェイスデータを生成することを想定しているが、これに限定されない。
【００２８】
尚、詳細は後述するが、デザインデータは、ＳＶＧ（scalable vector graphics）形式で生成される。ＳＶＧ形式のデータは、所謂ベクトルデータであるので、後述する印刷データの生成に際して、そのまま活用できる。また、ＳＶＧ形式であるので、ユーザの情報端末２においてブラウザ上で編集できる。
【００２９】
ここで、本実施形態に係るデザインデータ生成システムで取り扱うＳＶＧ形式のデータには、次のような機能がある。
【００３０】
第１に、ＳＶＧデータからアイテムのＳＶＧノードを抽出してサーバ装置１に保管できる機能である。より詳細には、アイテム用のＳＶＧデータを登録する際に、ＳＶＧデータに定義されたレイヤ名を解析・抽出し、アイテムのＳＶＧノードをサーバ装置に保管することができる。保管されたＳＶＧノードには、マスク情報も含まれており、ユーザが後述する操作によりフェイスの目や口などのパーツを選択すると、サーバ装置１から情報端末２にアイテムのＳＶＧノードが送信され、例えばＪａｖａＳｃｒｉｐｔ（登録商標）の制御によりパーツの着脱、変更が行われる。
【００３１】
第２に、ＳＶＧ内部ＩＤの重複を防ぐ機能である。より詳細には、一般に、ＳＶＧデータにはデザインオブジェクトごとに連番のＳＶＧ内部ＩＤが割り振られており、通常のＳＶＧ単体ではＩＤの重複が発生しないが、登録したＳＶＧデータによってＳＶＧ内部ＩＤが異なり、フェイスの目のパーツを差し替えた時にＩＤの重複が発生してしまう。このようにＳＶＧ内部ＩＤが重複すると、重複したＩＤのデザインオブジェクトの描画がくずれてしまうことがあるので、本システムでは、アイテム用ＳＶＧデータの登録時にＳＶＧ内部ＩＤを適切な他のＩＤに振り分けることとしている。
【００３２】
注文番号発行部１１ｃは、ユーザの情報端末２より注文の指令を受けたときに、注文番号を自動的に発行する。バーコード生成部１１ｄは、注文番号に基づいてＱＲコード（登録商標）等の二次元バーコードを生成する。印刷データ生成部１１ｅは、デザインデータと、ユーザの氏名及び配送先情報と、ＱＲコード（登録商標）等の二次元バーコードに基づいて、所定の印刷データを生成する。生成処理の詳細は後述する。
【００３３】
出荷管理部１１ｆは、注文番号に対応する出荷管理情報（例えばステータス）を管理しており、出荷担当者の情報端末５により製品に対応付けられた宛名ラベルの二次元バーコードが撮影されると、その二次元バーコードに含まれる注文番号の情報に対応する出荷管理情報のステータスを出荷管理ＤＢ１７で確認し、適宜、出荷管理情報のステータス等を更新する。画面データ生成部１１ｇは、ＨＴＭＬ形式等で画面データを生成する。電子メール制御部１１ｈは、出荷が完了したときに、所定のメッセージを含む発送完了通知を電子メールでユーザの情報端末２に送る。
【００３４】
図３にはデザインデータ生成システムの情報端末の構成を示し説明する。
【００３５】
同図に示されるように、情報端末２は、全体の制御を司るＣＰＵ等の制御部２１を備えており、制御部２１は、通信部２２、操作部２３、表示部２４、カメラ部２５、及び記憶部２６と接続されている。通信部２２は、ネットワーク６を介してサーバ装置１等と通信を行う通信インタフェースである。
【００３６】
操作部２３は、キーボードやマウス等の操作デバイスである。表示部２４は、液晶ディスプレイ等の表示デバイスである。操作部２３と表示部２４とをタッチパネルとして一体に構成してもよい。カメラ部２５は、ＣＣＤ（Charge Coupled Device）等の撮像素子を含む撮像デバイスである。記憶部２６は、ＲＡＭやＲＯＭ等のメモリやハードディスクドライブ等からなり、制御部３１で実行されるプログラム２７を記憶している。
【００３７】
このような構成において、制御部２１は、記憶部２６のプログラム２７を読み出し実行することで、主制御部２１ａ、ブラウザ部２１ｂ、及び表示制御部２１ｃとして機能することになる。主制御部２１ａは、操作部２３により操作入力された操作入力データを、通信部２２を介してサーバ装置１に送信するなど、統括的な制御を司る。ブラウザ部２１ｂは、Ｗｅｂブラウザ機能を実現し、Ｗｅｂページを閲覧可能とする。表示制御部２１ｃは表示部２４における各種表示を制御する。尚、出荷管理者の情報端末５も上記したものと同様の構成及び作用を奏する。
【００３８】
以下、図４及び図５のフローチャートを参照して、デザインデータ生成システムによるデザインデータ生成から梱包、出荷までの一連の処理の流れを説明する。ここでは、デザインデータとしてフィギュアのフェイスデータを例示し、フェイスデータ生成からフィギュアへの印刷、梱包、出荷までの一連の処理を説明する。そして、説明を進める過程で図６乃至図１１を適宜参照する。
【００３９】
本サービスの提供を所望とするユーザが、情報端末２を操作して、サーバ装置１の提供するＷｅｂサイトにアクセスすると（Ｓ１）、サーバ装置１からトップページのＨＴＭＬデータが送信され、情報端末２ではブラウザ部２１ｂにより図６に示されるようなトップページ１００が表示部２４に表示される（Ｓ２）。情報端末２では、操作部２３の操作により図６に示されるトップページ１００の「フェイスメーカーを開始する」のボタン１００ａが押下されると、デザイン作成処理を開始することになる（Ｓ３）。このデザイン作成処理は、Ｗｅｂサービスの一部であり、サーバ装置１側の処理で実行される。
【００４０】
具体的には、情報端末２の表示部２４の表示が図７に示されるような画面１０１に切り換わり、情報端末２の操作部２３の操作によりデザインの作成を進める。図７の画面１０１では、表示項目１０１ａの中から作成を希望するパーツを選択し、表示項目１０１ｂの中から左目、右目のいずれを作成するかを選択し、表示項目１０１ｃの中から、例えば目であれば、目の具体的にどの部分を作成するのか選択することになる。
【００４１】
より詳細には、図９（ａ）乃至図９（ｃ）に示されるように、目の形をサンプルデザインの中から選択することができ（図９（ａ）参照）、目の瞳をサンプルデザインの中から選択することができ（図９（ｂ）参照）、目の光彩１をサンプルデザインの中から選択することができ（図９（ｃ）参照）、目の光彩２をサンプルデザインの中から選択することができる（図９（ｄ）参照）。このとき、目の形を選択すると、その眼の範囲外の部分にマスクがかかり、以降、瞳等を選択し、カーソル１０１ｄの操作で上下左右に移動しても、目の領域から瞳がはみ出さないように処理される。光彩について、光彩１、光彩２と２種類のデザイン処理を詳細にできる点も特徴的である。
【００４２】
こうして、情報端末２の操作入力に基づいてデザインデータ生成部１１ｂによるデザインデータの生成が完了すると、当該デザインデータはサーバ装置１のデザインデータＤＢ１５に格納される。情報端末２では、表示部２４に図８に示されるような注文確認画面１０２が表示され、操作部２３の操作により「カードに入れて注文する」のボタン１０２ａが選択されると、情報端末２の主制御部２１ａの制御の下、サーバ装置１に対して注文のリクエストが送信される（Ｓ４）。
【００４３】
サーバ装置１では、印刷データ生成部１１ｅが、顧客ＤＢ１４より顧客の属性情報（ここでは、氏名と配送先情報）を読み出し、デザインデータＤＢ１５より対応するデザインデータを読み出し、それらに基づいて印刷データを生成する（Ｓ５）。
【００４４】
この印刷データの生成処理の詳細は、図５に示される通りである。すなわち、先ず、作成したＳＶＧ形式のデザインデータを高解像度画像データに変換し指定レイアウトに配置し（Ｓ１１）、氏名情報を読み出し、指定レイアウトに配置し（Ｓ１２）、配送先情報を読み出し、指定レイアウトに配置する（Ｓ１３）。次いで、注文番号を読み出し、指定レイアウトに配置し（Ｓ１４）、注文番号に係るＱＲコード（登録商標）等の二次元バーコードを指定レイアウトに配置する（Ｓ１５）。二次元バーコードは、バーコード生成部１１ｄにより、予め注文番号に基づいて生成されている。実際に生成された印刷データの一例は、図１０に示される通りである。これは、対象物がフィギュアの場合の例示である。印刷データは、これに限定されるものではないことは勿論である。
【００４５】
続いて、サーバ装置１は、印刷データを印刷業者の情報端末３に送信する。印刷業者の情報端末３では、印刷データをＥＰＳファイルに変換し、所定の印刷専用ソフトウェアに取り込んで、ＵＶプリンタ４により印刷する（Ｓ６）。印刷に際しては、ＵＶプリンタ４には、所定の冶具にフィギュアが搭載され、宛名ラベルも同時に印刷できる専用用紙に印刷が実行されることになる。これにより、フィギュアのフェイスへの印刷と、宛名ラベルへの印刷が一度の動作で同時に実現されることになる。
【００４６】
こうして、図１１に示されるように、商品の梱包を行い、宛名ラベルを貼り、出荷処理を行う（Ｓ７）。より詳細には、梱包後、宛名ラベルのＱＲコード（登録商標）などの二次元バーコードをカメラ部２５で撮影すると、サーバ装置１にアクセスがなされ、サーバ装置１側で出荷管理部１１ｆによる出荷管理ＤＢ１７の出荷情報の確認がなされ、ステータスが更新されると共に、出荷管理者の情報端末５に所定のステータスに関する所定のメッセージが送信される。所定のメッセージとしては、
１）「注文番号００１の出荷処理が完了しました。」
２）「注文番号００１は既に出荷しています。」
３）「注文番号００１はキャンセル、またはお問い合わせ中」
等である。こうして、発送が完了すると、サーバ装置１の電子メール制御部１１ｈにより発送完了通知が電子メールでユーザの情報端末２に送信される。こうして、一連の処理を終了することになる。
【００４７】
以上説明したように、本発明の一実施形態によれば、ユーザの情報端末２と、サーバ装置１と、ＵＶプリンタ４（ＵＶプリンタ接続の印刷業者の情報端末３でもよい）とが通信自在に接続されたデザインデータ生成システムが提供される。同システムにおいて、ユーザの情報端末２は、サーバ装置１と通信する第１通信部２２と、Ｗｅｂページを閲覧するブラウザ部２１ｂと、操作入力を受け付ける操作部２３と、所定の表示を行う表示部２４と、操作部２３により操作入力された操作入力データを、上記第１通信部２２を介してサーバ装置１に送信する主制御部２１ａとを備える。サーバ装置１は、ユーザの情報端末２及びＵＶプリンタ４と通信する第２通信部１２と、ユーザの属性情報（例えば、氏名、配送先情報、電子メールアドレス等）を少なくとも記憶する記憶部１３と、操作入力データに基づいてデザインデータ（例えば、フィギュア用のフェイスデータ）をＳＶＧ形式のベクトルデータで生成するデザインデータ生成部１１ｂと、ユーザの情報端末２からの注文に対して注文番号を発行する注文番号発行部１１ｃと、注文番号に基づいてＱＲコード（登録商標）等の二次元バーコードを生成するバーコード生成部１１ｄと、デザインデータと記憶部１３に記憶されたユーザの属性情報と二次元バーコードとに基づいて印刷データを生成する印刷データ生成部１１ｅとを備える。そして、ＵＶプリンタ４は、印刷データをＥＰＳファイルに変換するなどして、所定のデザインと属性情報に含まれる氏名と配送先情報、及び二次元バーコードを同時に印刷することになる。
【００４８】
従って、冶具に印刷対象物を設置して、宛名ラベル付きの専用用紙を載せて、ＵＶプリンタにより、例えばフィギュアのフェイスデザインと宛名ラベルとを一度の操作で同時に印刷することができる。
【００４９】
さらに、サーバ装置１は、出荷管理部１１ｆを更に備えてよい。出荷管理者の情報端末５によりＱＲコード（登録商標）等の二次元バーコードが撮影されると、撮影像が解析され、サーバ装置１にアクセスがなされ、サーバ装置１では、出荷管理部１１ｆが出荷管理情報を更新し、出荷管理者の情報端末５に所定のメッセージを送信してもよい。
【００５０】
従って、印刷された対象物（例えばフィギュア）出荷に際して、二次元バーコードを撮影するだけで、出荷管理情報を確認することができ、出荷内容（例えば、フィギュアと宛先の一致）が正しいかを適正に判断した後で、発送処理を行うことができるので、誤発送のリスクを低減することができる。
【００５１】
以上、本発明の一実施形態について説明したが、本発明はこれに限定されることなくその趣旨を逸脱しない範囲で種々の改良・変更が可能であることは勿論である。
【００５２】
例えば、印刷対象物としては、前述したフィギュアに限定されるものではなく、２次元、３次元形状の種々のものに印刷することができる。
【符号の説明】
【００５３】
１…サーバ装置、２…ユーザの情報端末、３…印刷御者の情報端末、４…ＵＶプリンタ、５…出荷管理者の情報端末、６…ネットワーク。
【図１】
2019021160.tif 000003
【図２】
2019021160.tif 000004
【図３】
2019021160.tif 000005
【図４】
2019021160.tif 000006
【図５】
2019021160.tif 000007
【図６】
2019021160.tif 000008
【図７】
2019021160.tif 000009
【図８】
2019021160.tif 000010
【図９】
2019021160.tif 000011
【図１０】
2019021160.tif 000012
【図１１】
2019021160.tif 000013